(57)【要約】【課題】ドット位置の制御を高精度に行うことができる画素クロック及びパルス変調信号生成装置、光走査装置、及び画像形成装置を提供する。【解決手段】画素クロック及びパルス変調信号生成装置１０は、変調データ生成部１１において“１”ｂｉｔを１/３２〜３／３２画素単位で遅らせた変調データを生成することができるので、これに基づいて生成されるＰＭ信号を１／３２〜３／３２画素単位で遅くすることが可能である。よって、ドットを打つタイミングを１／３２〜３／３２画素ずつ遅くする、すなわちドットを１／３２〜３／３２画素単位で右シフトすることが可能となる。【選択図】図１
2007152741.tif 000002
【特許請求の範囲】
【請求項１】
高周波クロックを生成する高周波クロック生成手段と、
前記高周波クロックと位相データと水平同期信号とから画素クロックを生成する画素クロック生成手段と、
画素を打つタイミングを指示する画素制御データと画素データに基づいて、前記位相データ及び前記変調データを生成する変調データ生成手段と、
前記変調データと前記高周波クロックとからシリアルパルス列のパルス変調信号を生成するシリアル変調信号生成手段とを有することを特徴とする画素クロック及びパルス変調信号生成装置。
【請求項２】
前記変調データ生成手段は、前記画素制御データに応じて値が変化するアドレスカウントを有し、
前記アドレスカウンタの値に応じて前記変調データのビット配分を異ならせることを特徴とする請求項１記載の画素クロック及びパルス変調信号生成装置。
【請求項３】
前記変調データ生成手段は、ビット配分の異なる画素データを前記アドレスカウンタの値に対応させて保持する画素データ保持手段を有することを特徴とする請求項２記載の画素クロック及びパルス変調信号生成装置。
【請求項４】
前記変調データ生成手段は、固定データを有し、前記アドレスカウンタの値に応じて前記固定データの一部を選択することで、前記変調データを生成することを特徴とする請求項１記載の画素クロック及びパルス変調信号生成装置。
【請求項５】
前記アドレスカウンタの値と前記画素制御データに基づいて前記アドレスカウンタがリセットされることを特徴とする請求項２から４のいずれか１項記載の画素クロック及びパルス変調信号生成装置。
【請求項６】
請求項１から５のいずれか１項記載の画素クロック及びパルス変調信号生成装置を有することを特徴とする光走査装置。
【請求項７】
請求項６記載の光走査装置を有することを特徴とする画像形成装置。
【発明の詳細な説明】
【技術分野】
【０００１】
本発明は、画素クロック及びパルス変調信号生成装置、光走査装置及び画像形成装置に関し、特に、ドットの位置制御を高精度で行う画素クロック及びパルス変調信号生成装置、光走査装置及び画像形成装置に関する。
【背景技術】
【０００２】
近年広く使用されているレーザプリンタやデジタル複写機等の画像形成装置の画像書き込み系の構成を図２１に示す。
【０００３】
画像書き込み系は、画像処理ユニット１０１と、レーザ駆動回路１０２と、クロック生成回路１０３と、位相同期回路１０４と、半導体レーザ１０５と、ポリゴンミラー１０６と、走査レンズ１０７と、フォトディテクタ１０８と、感光体１０９と、から構成される。
【０００４】
半導体レーザ１０５から照射された光ビームは、回転駆動するポリゴンミラー１０６によりスキャンされ、走査レンズ１０７を介して被走査媒体である感光体１０９上に光スポットを形成し、感光体１０９を露光して静電潜像を形成する。
【０００５】
フォトディテクタ１０８は走査された光ビームを検知し、検知信号を位相同期回路１０４に出力する。位相同期回路１０４は、該検知信号に基づいて画像クロックを生成し、画像処理ユニット１０１、レーザ駆動回路１０２に出力する。画像処理ユニット１０１は画像データをレーザ駆動回路１０２に出力する。
【０００６】
レーザ駆動回路１０２は、画像処理ユニット１０１により生成された画像データと位相同期回路１０４により１ライン毎に位相が設定された画像クロックに従い、半導体レーザ１０５の駆動を制御するための駆動信号を出力する。
【０００７】
このような画像書き込み系において、ポリゴンミラー１０６等の偏向器の偏向反射面の回転軸からの距離のばらつきは、感光体１０９上を走査する光スポット（光ビーム）の走査速度ムラを発生させる。該走査速度ムラはドット位置ずれ、画像の揺らぎの要因であるので、形成画像の品質の劣化が生じる。なので、高品位の画質を実現するためには走査ムラの補正を行う必要がある。
【０００８】
また、発光源がマルチビーム方式の画像書き込み系において、各ビーム発光源の発振波長に差があると、走査レンズの色収差が補正されていない場合には露光位置ずれが発生してしまう。そのため、各ビーム発光源に対応する光スポットの走査幅に差の発生、ドット位置ずれが生じ、画像品質が劣化してしまう。なので、走査幅の補正も行う必要がある。
【０００９】
このような問題に対応する技術としては、次のものが知られている。
【００１０】
特許文献１、特許文献２では、画素クロックの周波数を変化させることで、走査線に沿った光スポット位置を制御するラスタ出力式走査システム、周波数可変画素クロックが提案されている。これらの技術においては、画素クロックの周波数を変化させることで上述のドット位置ずれ、走査ムラや走査幅補正を行い画像品質の劣化を抑制している。
【特許文献１】特開２００１−２２８４１５号公報
【特許文献２】特開平１１−１６７０８１号公報
【発明の開示】
【発明が解決しようとする課題】
【００１１】
しかしながら、上記の特許文献１、特許文献２のような画素クロックの周波数を変化させる周波数変調方式は、一般に画素クロック制御部の構成が複雑となってしまう問題点がある。また、周波数変調幅が微小になるにつれて画素クロック制御部の構成の複雑さが増大するため、ドット位置のきめ細かな制御を行うことが難しいという問題点がある。
【００１２】
本発明は上記問題点に鑑みてなされたものであり、簡単な構成で光スポットの位置制御（ドット位置制御）を高い精度で行うことができる画素クロック及びパルス変調信号生成装置、光走査装置、及び画像形成装置を提供することを目的とする。
【課題を解決するための手段】
【００１３】
請求項１記載の画素クロック及びパルス変調信号生成装置は、高周波クロックを生成する高周波クロック生成手段と、前記高周波クロックと位相データと水平同期信号とから画素クロックを生成する画素クロック生成手段と、画素を打つタイミングを指示する画素制御データと画素データに基づいて、前記位相データ及び前記変調データを生成する変調データ生成手段と、前記変調データと前記高周波クロックとからシリアルパルス列のパルス変調信号を生成するシリアル変調信号生成手段とを有することを特徴とする。
【００１４】
請求項２記載の発明は、請求項１記載の画素クロック及びパルス変調信号生成装置において、前記変調データ生成手段は、前記画素制御データに応じて値が変化するアドレスカウントを有し、前記アドレスカウンタの値に応じて前記変調データのビット配分を異ならせることを特徴とする。
【００１５】
請求項３記載の発明は、請求項２記載の画素クロック及びパルス変調信号生成装置において、前記変調データ生成手段は、ビット配分の異なる画素データを前記アドレスカウンタの値に対応させて保持する画素データ保持手段を有することを特徴とする。
【００１６】
請求項４記載の発明は、請求項１記載の画素クロック及びパルス変調信号生成装置において、前記変調データ生成手段は、固定データを有し、前記アドレスカウンタの値に応じて前記固定データの一部を選択することで、前記変調データを生成することを特徴とする。
【００１７】
請求項５記載の発明は、請求項２から４のいずれか１項記載の画素クロック及びパルス変調信号生成装置において、前記アドレスカウンタの値と前記画素制御データに基づいて前記アドレスカウンタがリセットされることを特徴とする。
【００１８】
請求項６記載の光走査装置は、請求項１から５のいずれか１項記載の画素クロック及びパルス変調信号生成装置を有することを特徴とする。
【００１９】
請求項７記載の画像形成装置は、請求項６記載の光走査装置を有することを特徴とする。
【発明の効果】
【００２０】
本発明は、高周波クロックを生成する高周波クロック生成手段と、前記高周波クロックと位相データと水平同期信号とから画素クロックを生成する画素クロック生成手段と、画素を打つタイミングを指示する画素制御データと画素データに基づいて、前記位相データ及び前記変調データを生成する変調データ生成手段と、前記変調データと前記高周波クロックとからシリアルパルス列のパルス変調信号を生成するシリアル変調信号生成手段とを有することにより、簡単な構成によりドット位置の制御を精度良く行うことができ、省電力化が図られ、かつ容易にＡＩＳＣ化することができる。
【発明を実施するための最良の形態】
【００２１】
以下、本発明について実施の形態に即して説明する。
【００２２】
＜第１の実施形態＞
まず、本発明に係る画素クロック及びパルス変調信号生成装置の第１の実施形態について説明する。
【００２３】
＜画像書き込み系＞
図１を参照して、本実施形態の画素クロック及びパルス変調信号生成装置を含む画像書き込み系の構成について説明する。
【００２４】
画像書き込み系は、画素クロック及びパルス変調信号生成装置１０と、半導体レーザ２１と、コリメータレンズ２２と、シリンダレンズ２３と、ポリゴンミラー２４と、ｆθレンズ２５と、折り返しミラー２６と、トロイダルレンズ２７と、感光体２８と、フォトディテクタ２９Ａ、２９Ｂと、ドット位置ずれ検出・制御部３０と、画像処理部３１と、レーザ駆動部３２と、から構成される。なお、画素クロック及びパルス変調信号生成装置１０の構成については、後で詳述する。
【００２５】
半導体レーザ２１から出力された光ビーム（レーザ光）は、コリメータレンズ２２、シリンダレンズ２３を透過し、回転駆動するポリゴンミラー２４により偏光走査される。偏光走査された光ビームは、ｆθレンズ２５を透過し、折り返しミラー２６で折り返され、トロイダルレンズ２７を通って感光体２８に入射し、感光体２８の被走査面上に静電潜像を形成する。
【００２６】
折り返しミラー２６の始端、終端には、フォトディテクタ２９Ａ（始端側）、２９Ｂ（終端側）が配置されており、走査された光ビームを検出し、フォトディテクタ２９Ａは始端側の水平同期信号Ａを、フォトディテクタ２９Ｂは終端側の水平同期信号Ｂを出力する。
【００２７】
ドット位置ずれ検出・制御部３０は、フォトディテクタ２９Ａ、２９Ｂからの水平検知信号Ａ、Ｂに基づいて光ビームが走査される時間を測定し、基準の時間と比較することでずれ量を検出する。そして、該ずれ量を補正する「画素制御データ」を生成し、画素クロックに同期して後述の変調データ生成部１１に対して出力する。
【００２８】
画像処理部３１は、出力画像について画像処理を行うことで「画像データ」を生成し、該画像データを画素クロックに同期して変調データ生成部１１に出力する。なお、画像データは、白を表す白画素データと黒を表す黒画素データの２値のデータの集合からなる。
【００２９】
レーザ駆動部３２は、後述のシリアル変調信号生成部１４からの「ＰＭ信号」に基づいて、半導体レーザ２１を駆動する。
【００３０】
＜画素クロック及びパルス変調信号生成装置＞
画素クロック及びパルス変調信号生成装置１０の構成について説明する。画素クロック及びパルス変調信号生成装置１０は、変調データ生成部１１と、高周波クロック生成部１２と、画素クロック生成部１３と、シリアル変調信号生成部１４と、から構成される。ここで、図２０を用いて各部において入出力される信号について説明する。高周波クロック生成部１２から４本のクロックが出力され、シリアル変調信号生成部１４に入力し、画素クロック生成部１３に１本入力する（画素クロック生成部１３に入力される１本とシリアル変調信号生成部１４に入力される信号のうち１本は重複する）。なお、数字が記されていないラインは、１ｂｉｔの信号とする。同様に、３ｂｉｔの画素制御データが変調データ生成部１１に入力され、１ｂｉｔの画像データが変調データ生成部１１に入力される。変調データ生成部１１は、３２ｂｉｔの変調データと２ｂｉｔの追加データ選択信号をシリアル変調信号生成部１４に出力し、２ｂｉｔの位相データを画素クロック生成部１３へ出力する。画素クロック生成部１３は、１ｂｉｔの高周波クロックと、１ｂｉｔの水平同期信号と、２ｂｉｔの位相データとに基づいて画素クロックを生成する。
【００３１】
変調データ生成部１１は、ドット位置ずれ検出・制御部３０から入力された画素制御データと画像処理部３１から入力された画像データに基づいて、「位相データ」、「変調データ」、「追加データ選択信号」を生成し、これを画素クロックに同期して出力する。なお、位相データは画素クロック生成部１３に対して、変調データはシリアル変調信号生成部１４に対して、追加データ選択信号はシリアル変調信号生成部１４に対して出力する。
【００３２】
変調データ生成部１１の構成については後で詳述する。
【００３３】
高周波クロック生成部１２は、画素クロックやＰＭ信号の基準となる「高周波クロック（ＶＣＬＫ）」を生成し、出力する。図２に高周波クロックの波形を示す。本実施形態の高周波クロック生成部１２は、１周期の位相が１／４ずつズレた４つの高周波クロック（ＶＣＬＫ１〜４）を生成し、画素クロック生成部１３に対してはＶＣＬＫ１を、シリアル信号変調部１４に対してはＶＣＬＫ１〜４を出力する。
【００３４】
画素クロック生成部１３は、入力された高周波クロックと位相データに基づいて、１クロック毎に周期が変化する「画素クロック（ＰＣＬＫ）」を生成する。そして、該画素クロックを、シリアル変調信号生成部１４、ドット位置ずれ検出・制御部３０、画像処理部３１、レーザ駆動部３２に対して、水平同期信号Ａに同期して出力する。
【００３５】
シリアル変調信号生成部１４では、入力された高周波クロックと画素クロックに基づいて、変調データ生成部１１からのパラレルの「変調データ」をシリアルのパルス変調信号である「ＰＭ信号」に変換し、レーザ駆動部３２に対して出力する。画素クロックの周期が長くなった場合は、入力される追加データ選択信号に基づいてデータを追加し、パルス変調信号（ＰＭ信号）を出力する。
【００３６】
＜各種信号・データ＞
以下、本実施形態の画素クロック及びパルス変調信号生成装置１０において使用される各種信号・データについて説明する。
【００３７】
＜画素クロック＞
「画素クロック（ＰＣＬＫ）」について、図３、図４を参照して説明する。図３は、水平同期信号Ａに位相同期する画素クロックを示す。また、図４は、高周波クロック及び位相データに基づいて生成される画素クロックを示す。なお、ここでは、画素クロックは通常時（位相データが“００”のとき）において、高周波クロックを８分周するクロックとする。
【００３８】
図３を参照して、水平同期信号Ａに位相同期する画素クロックについて説明する。水平同期信号Ａが立ち下がることにより（図中ａ）、画素クロックが一時的に“Ｈ”固定の状態となる（図中ｂ）。そして、水平同期信号Ａが立ち下がってからある設定した回数（ここでは１０回）後の高周波クロックの立ち上がりのところ（図中ｃ）で、画素クロックが“Ｌ”となりクロックが再出力される。
【００３９】
上記のように、ａ〜ｃの間隔が常に高周波クロックの１周期の精度で一定となるので、１ライン毎の開始位置を精度良く揃えることが可能となっている。
【００４０】
図４を参照して、高周波クロック及び位相データに基づいて生成される画素クロックについて説明する。以下に示す表１は、位相データと画素クロックの位相シフト量の対応を示す。「位相データ」が“０１”の場合は位相データが“００”の場合に比べ２／８ＰＣＬＫ分位相が長くなった（遅れた）「画素クロック」を、「位相データ」が“１１”の場合は２／８ＰＣＬＫ分位相が短くなった（進んだ）「画素クロック」を出力する。
【００４１】
【表１】
2007152741.tif 000003
【００４２】
位相データを画素クロックに同期して入力することにより、画素クロック生成部１３は該位相データに応じて位相をシフトし、クロック幅を長くあるいは短くした画素クロックを生成する。よって、画素クロックは位相データに応じて１クロック毎にその周期が変化する。
【００４３】
＜変調データ＞
図５を参照して、「変調データ」について説明する。変調データは３２ｂｉｔ幅のデータであり、画像データ（白画素データ／黒画素データ）に応じたデータ構成を取る。
【００４４】
対応する画素が白画素データの場合は、１画素である３２ｂｉｔ全てが白を示す“０”である変調データとなる。対応する画素が黒画素データの場合は３２ｂｉｔのうちの連続する１６ｂｉｔが黒を示す“１”で、残り１６ｂｉｔが白を示す“０”である変調データとなる。つまり、３２ｂｉｔのパラレルデータで、図５に示すように白画素データの場合は全ｂｉｔが“０”で、黒画素データの場合は“１”にするのではなく、連続した１６ｂｉｔが“１”で残りのｂｉｔは“０”であるデータとし、連続した“１”の場所が異なっている複数のパターンのいずれかを出力したデータである。
【００４５】
黒画素データ対応の変調データでは、１画素全てを黒（３２ｂｉｔ全てを“１”）とせずに、該画素にトナーを引き寄せる静電電位を形成するのに必要な割合だけを黒とする。これにより、図５に示すように黒画素データの黒（“１”）を１／３２画素（１ｂｉｔ）単位でずらすことが可能となっている。
【００４６】
該変調データの黒を表す“１”の部分のシフトや白黒割合の変更は、画素制御データのパラメータに応じてなされる。表２に画素制御データに応じたシフト対応を示す。この画素データのシフトについては、後で詳述する。
【００４７】
【表２】
2007152741.tif 000004
【００４８】
＜ＰＭ信号＞
図６を参照して、「ＰＭ信号」について説明する。図６は、各種データから生成されるＰＭ信号を示す。なお、ここでは、高周波クロックとして、図２に示す位相がずれた４つのクロック（ＶＣＬＫ１〜４）が、変調データとして、図５に示す３２ｂｉｔ幅を持つ変調データが入力されている。
【００４９】
画素クロックの立ち下がりのタイミングから変調データのｂｉｔ０のデータを出力し、その後ＶＣＬＫ１〜ＶＣＬＫ４の各高周波クロック立ち上がりで変調データの各ｂｉｔを順次シリアルで出力し、これをＰＭ信号としている。
【００５０】
＜追加データ選択信号＞
シリアル変調信号生成部１４は、高周波クロックＶＣＬＫ１〜４と画素クロックＰＣＬＫに基づいて、入力されるパラレルの３２ｂｉｔの変調データをシリアルに変換しパルス変調信号（ＰＭ信号）として出力する。また、画素クロックの周期が長くなった場合は、入力される追加データ選択信号に基づいて、データを追加しパルス変調信号（ＰＭ信号）を出力する。
【００５１】
ここでは高周波クロックとしては図２で示す位相がずれた４つのクロックが与えられ、また、図６（Ａ）に示すように変調データは３２ｂｉｔ幅を持つデータとなっている。画素クロックPCLKの立ち下がりのタイミングから変調データのｂｉｔ０のデータを出力し、その後ＶＣＬＫ１〜ＶＣＬＫ４の各クロック立ち上がりで変調データの各ｂｉｔを順次シリアルで出力しPM信号としている。そして、図６（Ｂ）に示すように画素クロックの周期が長くなった場合には、例えば表３に示すような追加データ選択信号に対応した追加データを選択し変調データｂｉｔ３１の後にその追加データを出力する。また、図６（Ｃ）に示すように画素クロックの周期が短くなった場合は、変調データｂｉｔ２７の後には、次の画素の変調データが出力され、ｂｉｔ２８〜ｂｉｔ３１は切り捨てるように、ＰＭ信号を出力する。
【００５２】
【表３】
2007152741.tif 000005
【００５３】
ＰＭ信号は、高周波クロック、画素クロックに基づいて、変調データを変換したものであるので、上記の変調データに応じたデータ構成を取る。すなわち、変調データが白対応の場合には、３２ｂｉｔ全てが“０”のＰＭ信号となり、黒対応の場合には、連続する１６ｂｉｔが“１”で、残りの部分が“０”のＰＭ信号となる。
【００５４】
また、上述したように、本実施形態では、黒画素対応の変調データについて黒画素を１／３２画素（１ｂｉｔ）単位でずらすことや白と黒の割合を変更するなどの微調整を行うことが可能である。よって、変調データを微調整することでＰＭ信号についても微調整も行うことが可能である。
【００５５】
ＰＭ信号はレーザ駆動部３２を制御する信号であるので、この微調整により１画素内で黒を打つ場所を変えることや画素クロックの周期を１画素毎に変えドットを打つタイミングを変えることが可能となる。
【００５６】
＜変調データ生成部＞
図７を参照して、変調データ生成部１１について詳述する。変調データ生成部１１は、アドレスカウンタ４１と、黒画素データ保持部４２と、選択信号生成部４３と、白黒選択部４４と、位相データ生成部４５と、追加データ選択信号生成部４６と、から構成される。
【００５７】
アドレスカウンタ４１は、「メモリアドレス」を、黒画素データメモリ４２、位相データ生成部４５、追加データ選択信号生成部４６に出力する。なお、メモリアドレスの出力は、画素クロックに同期してなされる。
【００５８】
また、アドレスカウンタ４１は、入力される画素制御データに応じてメモリアドレスの値を変更して出力する。具体的には、画素制御データが“０００”のときには前メモリアドレスを保持して出力し、画素制御データが“００１”のときには画素クロックの立ち上がりのタイミングで前メモリアドレスを＋１カウントアップして出力し、画素制御データが“０１０”のときは画素クロックの立ち上がりのタイミングで前メモリアドレスを＋２カウントアップして出力し、画素制御データが“０１１”のときは画素クロックの立ち上がりのタイミングで前メモリアドレスを＋３カウントアップして出力し、画素制御データが“１０１”のときには画素クロックの立ち上がりで前メモリアドレスを−１カウントダウンして出力する。画素制御データとメモリアドレスの関係を表４に示す。
【００５９】
【表４】
2007152741.tif 000006
【００６０】
なお、メモリアドレスがリセットされた場合あるいはメモリアドレスの値が“０”または“１６”になった場合には、アドレスカウンタ４１はメモリアドレスを初期値である“８”に初期化する。メモリアドレスの値が“１７”になった場合には、アドレスカウンタ４１はメモリアドレスを“９”に初期化する。メモリアドレスの値が“１８”になった場合には、アドレスカウンタ４１はメモリアドレスを“１０”に初期化する。
【００６１】
黒画素データ保持部４２は、図８に示すようなメモリアドレス値と黒画素データの対応を示すデータテーブルを保持しており、メモリアドレスが入力されるとこれに対応する黒画素データを白黒選択部４４に出力する。
【００６２】
選択信号生成部４３は、画像データを画素クロックで１クロック遅らせたものを「白黒選択信号」として白黒選択部４４に出力する。
【００６３】
白黒選択部４４は、選択信号生成部４３から入力された白黒選択信号が“１”のときは、黒画素データ保持部４２から入力された黒画素データを「変調データ」として出力する。また、白黒選択信号が“０”のときは、全ｂｉｔを“０”(白画素)にした白画素データを「変調データ」として出力する。
【００６４】
位相データ生成部４５は、アドレスカウンタ４１から入力されたメモリアドレスに基づいて、「位相データ」を生成し出力する。具体的には、メモリアドレスが“０”の場合は位相データとして“１１”を出力し、メモリアドレスが“１６”、“１７”、又は“１８”の場合は位相データとして“０１”を出力する。また、それ以外のメモリアドレスの場合には位相データとして“００”を出力する。メモリアドレスと生成される位相データの関係を表５に示す。
【００６５】
【表５】
2007152741.tif 000007
【００６６】
＜ＰＭ信号生成＞
本実施形態の画素クロック及びパルス変調信号生成装置１０におけるＰＭ信号生成までの全体動作について、図９から図１５を参照して説明する。なお、以下の説明において、「（Ａ〜Ｃの）タイミング」とは、ＰＣＬＫの立ち上がりタイミングのことを示す。
【００６７】
＜ＰＭ信号生成（１）＞
図９は、ドットをずらすことなく黒画素データと白画素データを交互に出力した場合を示す。なお、アドレスカウンタは初期値の“８”である。
【００６８】
Ａのタイミングでは、画素制御データとして“０００”が入力されている。また、画像データには黒画素を示す“１”が入力されている。
【００６９】
Ｂのタイミングでは、画素制御データが“０００”であるので、アドレスカウンタ４１はメモリアドレスとして初期値の“８”を保持し（表１参照）、これを黒画素データ保持部４２に出力する。黒画素データ保持部４２は、メモリアドレス値“８”に対応する黒画素データであるｂｉｔ８〜２３の１６ｂｉｔが“１”である黒画素データを出力する。
【００７０】
白黒選択信号は画像データを画素クロックＰＣＬＫで１クロック遅らせた信号であるので、Ｂのタイミングで“１”となる。白黒選択信号が“１”であるので、白黒選択部４４は黒画素データ保持部４２から入力された黒画素データを変調データとしてシリアル変調信号生成部１４に出力する。シリアル変調信号生成部１４は、変調データからＰＭ信号を生成しシリアルで出力する。
【００７１】
Ｃのタイミングでは白黒選択信号が“０”であるので（Ｂのタイミングで画像データが“０”）、白黒選択部４４は、全ｂｉｔが“０”の白画素データを変調データとしてシリアル変調信号生成部１４に出力する。シリアル変調信号生成部１４は、変調データからＰＭ信号を生成しシリアルで出力する。
【００７２】
上記のように、本実施形態の画素クロック及びパルス変調信号生成装置１０は、変調データ生成部１１は、画像データ（黒画素／白画素）に応じて変調データを作成するので、入力された画像データに応じたＰＭ信号を生成することができる。
【００７３】
＜ＰＭ信号生成（２）＞
次に、ドットを右シフトさせる（右にずらす）場合について説明する。図１０は、ドットを１／３２画素ずつ右シフトさせる場合を示す。なお、以下、説明の簡略化のため、画像データは全て黒画素データであるものとする。
【００７４】
Ａのタイミングで、画像制御データとして“００１”が入力されている。なお、メモリアドレスは初期値の“８”である。アドレスカウンタ４１はＢのタイミングでメモリアドレスのカウントアップを行い（表４参照）、メモリアドレスの値として“９”を黒画素データ保持部４２に出力する。
【００７５】
黒画素データ保持部４２は“９”に対応する黒画素データ、すなわちｂｉｔ９〜２４の１６ｂｉｔが“１”である黒画素データを白黒選択部４４に出力する。白黒選択部４４は、該黒画素データを変調データとしてシリアル変調信号生成部１４に出力する（全て黒画素データとしているので白黒選択については省略）。シリアル変調信号生成部１４は、変調データからＰＭ信号を生成しシリアルで出力する。
【００７６】
メモリアドレス値“８”に対応する黒画素データとメモリアドレス値“９”に対応する黒画素データとは、“１”（黒ｂｉｔ）が１ｂｉｔずれている（“９”のほうが右にずれている／図８参照）。なので、この黒画素データを変調データとしてシリアル変調信号生成部１４に入力しＰＭ信号を生成することで、黒ｂｉｔの出力タイミングを一つ前の画素に比べて１／３２画素遅くする（１／３２画素分右シフトする）ことができる。
【００７７】
Ｂのタイミングにおいては画素制御データが“０１０”であるので、Ｃのタイミングでアドレスカウンタ４１はメモリアドレスの＋２カウントアップを行い、メモリアドレスとして“１１”を黒画素データ保持部４２に出力する。黒画素データ保持部４２は“１１”に対応する黒画素データ、すなわちｂｉｔ１１〜２６の１６ｂｉｔが“１”である黒画素データを白黒選択部４４に出力する。白黒選択部４４は、該黒画素データを変調データとしてシリアル変調信号生成部１４に出力する。シリアル変調信号生成部１４は、変調データからＰＭ信号を生成しシリアルで出力する。
【００７８】
ここでも、メモリアドレス値“９”に対応する黒画素データと、メモリアドレス値“１１”に対応する黒画素データとは、黒ｂｉｔが２ｂｉｔずれている（“１１”のほうが右にずれている／図８参照）。なので、この黒画素データを変調データとしてシリアル変調信号生成部１４に入力しＰＭ信号を生成することで、黒ｂｉｔの出力タイミングを一つ前の画素に比べて２／３２画素遅くする（２／３２画素分右シフトする）ことができる。
【００７９】
Ｃのタイミングにおいては画素制御データが“０１１”であるので、Ｄのタイミングでアドレスカウンタ４１はメモリアドレスの＋３カウントアップを行い、メモリアドレスとして“１４”を黒画素データ保持部４２に出力する。黒画素データ保持部４２は“１４”に対応する黒画素データ、すなわちｂｉｔ１４〜２９の１６ｂｉｔが“１”である黒画素データを白黒選択部４４に出力する。白黒選択部４４は、該黒画素データを変調データとしてシリアル変調信号生成部１４に出力する。シリアル変調信号生成部１４は、変調データからＰＭ信号を生成しシリアルで出力する。
【００８０】
ここでも、メモリアドレス値“１１”に対応する黒画素データと、メモリアドレス値“１４”に対応する黒画素データとは、黒ｂｉｔが３ｂｉｔずれている（“１４”のほうが右にずれている／図８参照）。なので、この黒画素データを変調データとしてシリアル変調信号生成部１４に入力しＰＭ信号を生成することで、黒ｂｉｔの出力タイミングを一つ前の画素に比べて３／３２画素遅くする（３／３２画素分右シフトする）ことができる。
【００８１】
上記のように、本実施形態の画素クロック及びパルス変調信号生成装置１０は、変調データ生成部１１において“１”ｂｉｔを１/３２〜３／３２画素単位で遅らせた変調データを生成することができるので、これに基づいて生成されるＰＭ信号を１／３２〜３／３２画素単位で遅くすることが可能である。よって、ドットを打つタイミングを１／３２〜３／３２画素ずつ遅くする、すなわちドットを１／３２〜３／３２画素単位で右シフトすることが可能となる。
【００８２】
＜ＰＭ信号生成（３）＞
次に、図１１を参照して、上記ＰＭ信号生成（２）においてメモリアドレス値が“１６”になった場合について説明する。なお、説明の簡略化のため、画像データは全て黒画素データであるものとする。
【００８３】
Ａのタイミングで、画像制御データとして“００１”が入力されている。また、同タイミングにおいてメモリアドレス値は“１５”である。アドレスカウンタ４１はＢのタイミングでメモリアドレスのカウントアップを行い、メモリアドレスの値として“１６”を黒画素データ保持部４２に出力する。
【００８４】
メモリアドレス値は、位相データ生成部４５にも出力される。位相データ生成部４５はメモリアドレス値“１６”を受け付けると位相データとして“０１”を生成し（表４参照）、画素クロック生成部１３に出力する。
【００８５】
メモリアドレス値は、追加データ選択信号生成部４６にも出力される。追加データ選択信号生成部４６はメモリアドレス値“１６”を受け付けると追加データ選択信号として“００”を生成し（表３参照）、シリアル変調信号生成部１４に出力する。
【００８６】
位相データ“０１”を受け付けた画素クロック生成部１３は、Ｂのタイミングで画素クロックを２／８クロック長くして出力する（表１参照）。
【００８７】
黒画素データ保持部４２は、メモリアドレス値“１６”に対応する黒画素データ、すなわちｂｉｔ１６〜３１の１６ｂｉｔが“１”である黒画素データを白黒選択部４４に出力する。白黒選択部４４は、該黒画素データを変調データとしてシリアル変調信号生成部１４に出力する（全て黒画素データとしているので白黒選択については省略）。
【００８８】
Ｂのタイミングにおいて画素クロックがシフトしている（長くなっている）ので、シリアル変調信号生成部１４は、８ｂｉｔ分の“０”データからなる追加データ（表３参照）を追加してＰＭ信号を生成し出力する。
【００８９】
次のタイミング（Ｃのタイミング）では、アドレスカウンタ４１はメモリアドレス値を“１６”から“８”に初期化して出力し、黒画素データ保持部４２は“８”に対応する黒画素データ、すなわちｂｉｔ８〜２３の１ｂｉｔが“１”である黒画素データを出力する。
【００９０】
上記のように、本実施形態の画素クロック及びパルス変調信号生成装置１０は、メモリアドレス値が“１６”になった場合にはメモリアドレス値を初期値に戻す。よって、メモリアドレス値が“１６”になった以降であっても、ドットを打つタイミングを１／３２画素ずつ遅くする、すなわちドットを１／３２画素単位で右シフトすることが可能となる。
【００９１】
＜ＰＭ信号生成（４）＞
次に、図１２を参照して、上記ＰＭ信号生成（２）においてメモリアドレス値が“１７”になった場合について説明する。なお、説明の簡略化のため、画像データは全て黒画素データであるものとする。
【００９２】
Ａのタイミングで、画像制御データとして“０１０”が入力されている。また、同タイミングにおいてメモリアドレス値は“１５”である。アドレスカウンタ４１はＢのタイミングでメモリアドレスのカウントアップを行い、メモリアドレスの値として“１７”を黒画素データ保持部４２に出力する。
【００９３】
メモリアドレス値は、位相データ生成部４５にも出力される。位相データ生成部４５はメモリアドレス値“１７”を受け付けると位相データとして“０１”を生成し（表５参照）、画素クロック生成部１３に出力する。
【００９４】
メモリアドレス値は、追加データ選択信号生成部４６にも出力される。追加データ選択信号生成部４６はメモリアドレス値“１７”を受け付けると追加データ選択信号として“１０”を生成し（表３参照）、シリアル変調信号生成部１４に出力する。
【００９５】
位相データ“０１”を受け付けた画素クロック生成部１３は、Ｂのタイミングで画素クロックを２／８クロック長くして出力する（表１参照）。
【００９６】
黒画素データ保持部４２は、メモリアドレス値“１７”に対応する黒画素データ、すなわちｂｉｔ１７〜３１の３１ｂｉｔが“１”である黒画素データを白黒選択部４４に出力する。白黒選択部４４は、該黒画素データを変調データとしてシリアル変調信号生成部１４に出力する（全て黒画素データとしているので白黒選択については省略）。
【００９７】
Ｂのタイミングにおいて画素クロックがシフトしている（長くなっている）ので、シリアル変調信号生成部１４は、２ｂｉｔ分の“１”と６ｂｉｔ分の“０”データからなる追加データ（表３参照）を追加してＰＭ信号を生成し出力する。
【００９８】
次のタイミング（Ｃのタイミング）では、アドレスカウンタ４１はメモリアドレス値を“１７”から“１０”に初期化して出力し、黒画素データ保持部４２は“１０”に対応する黒画素データ、すなわちｂｉｔ１０〜２５の１ｂｉｔが“１”である黒画素データを出力する。
【００９９】
上記のように、本実施形態の画素クロック及びパルス変調信号生成装置１０は、メモリアドレス値が“１７”になった場合にはメモリアドレス値を初期値に戻す。よって、メモリアドレス値が“１７”になった以降であっても、ドットを打つタイミングを２／３２画素ずつ遅くする、すなわちドットを２／３２画素単位で右シフトすることが可能となる。
【０１００】
＜ＰＭ信号生成（５）＞
次に、図１３を参照して、上記ＰＭ信号生成（２）においてメモリアドレス値が“１８”になった場合について説明する。なお、説明の簡略化のため、画像データは全て黒画素データであるものとする。
【０１０１】
Ａのタイミングで、画像制御データとして“０１１”が入力されている。また、同タイミングにおいてメモリアドレス値は“１５”である。アドレスカウンタ４１はＢのタイミングでメモリアドレスのカウントアップを行い、メモリアドレスの値として“１８”を黒画素データ保持部４２に出力する。
【０１０２】
メモリアドレス値は、位相データ生成部４５にも出力される。位相データ生成部４５はメモリアドレス値“１８”を受け付けると位相データとして“０１”を生成し（表５参照）、画素クロック生成部１３に出力する。
【０１０３】
メモリアドレス値は、追加データ選択信号生成部４６にも出力される。追加データ選択信号生成部４６はメモリアドレス値“１８”を受け付けると追加データ選択信号として“１１”を生成し（表３参照）、シリアル変調信号生成部１４に出力する。
【０１０４】
位相データ“０１”を受け付けた画素クロック生成部１３は、Ｂのタイミングで画素クロックを２／８クロック長くして出力する（表１参照）。
【０１０５】
黒画素データ保持部４２は、メモリアドレス値“１６”に対応する黒画素データ、すなわちｂｉｔ１８〜３１の３１ｂｉｔが“１”である黒画素データを白黒選択部４４に出力する。白黒選択部４４は、該黒画素データを変調データとしてシリアル変調信号生成部１４に出力する（全て黒画素データとしているので白黒選択については省略）。
【０１０６】
Ｂのタイミングにおいて画素クロックがシフトしている（長くなっている）ので、シリアル変調信号生成部１４は、３ｂｉｔ分の“１”と５ｂｉｔ分の“０”データからなる追加データ（表３参照）を追加してＰＭ信号を生成し出力する。
【０１０７】
次のタイミング（Ｃのタイミング）では、アドレスカウンタ４１はメモリアドレス値を“１８”から“１１”に初期化して出力し、黒画素データ保持部４２は“１１”に対応する黒画素データ、すなわちｂｉｔ１１〜２６の１ｂｉｔが“１”である黒画素データを出力する。
【０１０８】
上記のように、本実施形態の画素クロック及びパルス変調信号生成装置１０は、メモリアドレス値が“１８”になった場合にはメモリアドレス値を初期値に戻す。よって、メモリアドレス値が“１８”になった以降であっても、ドットを打つタイミングを３／３２画素ずつ遅くする、すなわちドットを３／３２画素単位で右シフトすることが可能となる。
【０１０９】
＜ＰＭ信号生成（６）＞
次に、ドットを左シフトさせる（左にずらす）場合について説明する。図１４は、ドットを１／３２画素ずつ左シフトさせる場合を示す。なお、説明の簡略化のため、画像データは全て黒画素データであるものとする。
【０１１０】
Ａのタイミングで、画像制御データとして“１０１”が入力されている。なお、メモリアドレスは初期値の“８”である。アドレスカウンタ４１はＢのタイミングでメモリアドレスのカウントダウンを行い（表４参照）、メモリアドレスの値として“７”を黒画素データ保持部４２に出力する。
【０１１１】
黒画素データ保持部４２は“７”に対応する黒画素データ、すなわちｂｉｔ７〜２２の１６ｂｉｔが“１”である黒画素データを白黒選択部４４に出力する。白黒選択部４４は、該黒画素データを変調データとしてシリアル変調信号生成部１４に出力する（全て黒画素データとしているので白黒選択については省略）。シリアル変調信号生成部１４は、変調データからＰＭ信号を生成しシリアルで出力する。
【０１１２】
メモリアドレス値“８”に対応する黒画素データとメモリアドレス値“７”に対応する黒画素データとは、“１”（黒ｂｉｔ）が１ｂｉｔずれている（“７”のほうが左にずれている／図８参照）。なので、この黒画素データを変調データとしてシリアル変調信号生成部１４に入力しＰＭ信号を生成することで、黒ｂｉｔの出力タイミングを一つ前の画素に比べて１／３２画素早くする（１／３２画素分左シフトする）ことができる。
【０１１３】
Ｂのタイミングにおいても画素制御データが“１０１”であるので、Ｃのタイミングでアドレスカウンタ４１はメモリアドレスのカウントダウンを行い、メモリアドレスとして“６”を黒画素データ保持部４２に出力する。黒画素データ保持部４２は“６”に対応する黒画素データ、すなわちｂｉｔ６〜２１の１６ｂｉｔが“１”である黒画素データを白黒選択部４４に出力する。白黒選択部４４は、該黒画素データを変調データとしてシリアル変調信号生成部１４に出力する。シリアル変調信号生成部１４は、変調データからＰＭ信号を生成しシリアルで出力する。
【０１１４】
ここでも、メモリアドレス値“７”に対応する黒画素データと、メモリアドレス値“６”に対応する黒画素データとは、黒ｂｉｔが１ｂｉｔずれている（“６”のほうが左にずれている／図８参照）。なので、この黒画素データを変調データとしてシリアル変調信号生成部１４に入力しＰＭ信号を生成することで、黒ｂｉｔの出力タイミングを一つ前の画素に比べて１／３２画素早くする（１／３２画素分左シフトする）ことができる。
【０１１５】
上記のように、本実施形態の画素クロック及びパルス変調信号生成装置１０は、変調データ生成部１１において“１”ｂｉｔを１/３２画素単位で早くした変調データを生成することができるので、これに基づいて生成されるＰＭ信号においても１／３２画素単位で早くすることが可能である。よって、ドットを打つタイミングを１／３２画素ずつ早くする、すなわちドットを１／３２画素単位で左シフトすることが可能となる。
【０１１６】
＜ＰＭ信号生成（７）＞
次に、図１５を参照して、上記ＰＭ信号生成（６）においてメモリアドレス値が“０”になった場合について説明する。なお、説明の簡略化のため、画像データは全て黒画素データであるものとする。
【０１１７】
Ａのタイミングで、画像制御データとして“１０１”が入力されている。また、同タイミングにおいてメモリアドレス値は“１”である。アドレスカウンタ４１はＢのタイミングでメモリアドレスのカウントダウンを行い、メモリアドレスの値として“０”を黒画素データ保持部４２に出力する。
【０１１８】
メモリアドレス値は、位相データ生成部４５にも出力される。位相データ生成部４５はメモリアドレス値“０”を受け付けると位相データとして“１１”を生成し（表４参照）、画素クロック生成部１３に出力する。
【０１１９】
位相データ“１１”を受け付けた画素クロック生成部１３は、Ｂのタイミングで画素クロックを２／８クロック短くして出力する（表１参照）。
【０１２０】
黒画素データ保持部４２は、メモリアドレス値“０”に対応する黒画素データ、すなわちｂｉｔ０〜１５の１６ｂｉｔが“１”である黒画素データを白黒選択部４４に出力する。白黒選択部４４は、該黒画素データを変調データとしてシリアル変調信号生成部１４に出力する（全て黒画素データとしているので白黒選択については省略）。
【０１２１】
Ｂのタイミングにおいて画素クロックがシフトしている（短くなっている）ので、シリアル変調信号生成部１４はｂｉｔ２４〜３１の８ｂｉｔ（２／８ＰＣＬＫ分）を削除してＰＭ信号を生成し出力する。
【０１２２】
次のタイミング（Ｃのタイミング）では、アドレスカウンタ４１はメモリアドレス値を“０”から“８”に初期化して出力し、黒画素データ保持部４２は“８”に対応する黒画素データ、すなわちｂｉｔ８〜２３の１ｂｉｔが“１”である黒画素データを出力する。
【０１２３】
上記のように、本実施形態の画素クロック及びパルス変調信号生成装置１０は、メモリアドレス値が“０”になった場合にはメモリアドレス値を初期値に戻す。よって、メモリアドレス値が“０”になった以降であっても、ドットを打つタイミングを１／３２画素ずつ早くする、すなわちドットを１／３２画素左シフトすることが可能となる。
【０１２４】
＜第１の実施形態の効果＞
上記説明したように、本実施形態の画素クロック及びパルス変調信号生成装置は、ＰＭ信号を１／３２〜３／３２画素単位でずらすことができる。よって、ドットを打つタイミングを１／３２〜３／３２画素単位でずらすことが可能であり、ドット位置の微細調整・制御を行うことができる。また、位相がずれた複数の高周波クロックを用いることで画素を１／３２〜３／３２画素の精度で打つタイミングを変えており、１／３２〜３／３２画素に相当する高い周波数のクロックを使っているわけではないので省電力を図ることができる。
【０１２５】
＜第１の実施形態の変形実施例＞
なお、上記の第１の実施形態の説明では、変調データ生成部１１の黒画素データ保持部４２は、図８に示すようなデータテーブルを保持するとしているが、図１７に示すように、固定データの一部をメモリアドレスの値に応じて選択する構成にしてもよい。具体的には、黒画素データ保持部４２の代わりに黒画素データ選択部４７を設け、固定データを図１７に示すようなデータ値とする。黒画素データ選択部４７は、入力されたメモリアドレス値に応じて、図１６に示すような範囲で固定データの選択範囲を決定し、黒画素データとする。このような構成にすることにより、比較的小さな装置回路で変調データの出力を行うことが可能となる。
【０１２６】
また、本実施形態の画素クロック及びパルス変調信号生成装置１０をＡＳＩＣ（Application Specific Integrated Circuit）として構成すれば、省資源を図ることができる。
【０１２７】
次に、上述した第１の実施形態の画素クロック及びパルス変調信号生成装置を搭載した光走査装置について説明する。
【０１２８】
図１８は、光走査装置６０の構成を示す。なお、図１と同一の部材については、説明を省略する。
【０１２９】
光走査装置６０は、半導体レーザ２１と、コリメータレンズ２２と、シリンダレンズ２３と、光偏向器６２と、ｆθレンズ２５と、折り返しミラー２６と、フォトディテクタ２９と、を光学ハウジング６１上に保持する。また、半導体レーザ２１の背面にあたる光学ハウジング６１の壁面にはレーザ駆動部３２と本発明である画素クロック及びパルス変調信号生成装置１０が形成されたプリント基板６３が形成されている。
【０１３０】
半導体レーザ２１から出力された光ビーム（レーザ光）は、コリメータレンズ２２、シリンダレンズ２３を透過し、光偏向器６２のポリゴンミラー２４により偏光走査される。偏光走査された光ビームは、ｆθレンズ２５を透過し、折り返しミラー２６で折り返される。
【０１３１】
半導体レーザ２１は、上述の実施形態の画素クロック及びパルス変調信号生成装置１０を有するプリント基板６３により駆動制御される。よって、上記説明したように、ＰＭ信号を１／３２〜３／３２画素単位でずらすことができるので、ドット位置を１／３２〜３／３２画素単位で微細調整・制御を行うことができる。また、位相がずれた複数の高周波クロックを用いることで画素を１／３２〜３／３２画素の精度で打つタイミングを変えており、１／３２〜３／３２画素に相当する高い周波数のクロックを使っているわけではないので省電力を図ることができる。
【０１３２】
次に、上述した光走査装置６０を有する画像形成装置について説明する。
【０１３３】
図１９は、画像形成装置７０の構成を示す。画像形成装置７０は、原稿台７１と、読み取り装置７２と、光走査装置６０と、現像装置７３と、感光体２８と、定着装置７４と、給紙トレイ７５と、給紙ローラ７６と、排紙トレイ７７と、排紙ローラ７８と、から構成される。
【０１３４】
読み取り装置７２は、原稿台７１に置かれた原稿の画像データを読み取り、読み取った画像データを、画像信号として光走査装置６０に送信する。光走査装置６０は、該画像信号に基づいて光ビームを照射し、感光体２８上に静電潜像を形成する。現像装置７３は、感光体２８上の静電潜像を現像し、トナー像を形成する。該トナー像は、給紙トレイ７５から給紙ローラ７６により搬送されてきた用紙上に転写される。定着装置７４は、用紙上に転写されたトナー像を熱定着する。このトナー像が熱定着された用紙は、排紙ローラ７８を介して排紙トレイ７７上に排紙される。
【０１３５】
本実施形態の画像形成装置７０は、光走査装置６０として上記第３の実施形態に係る光走査装置を用いている。よって、上記説明したように、ＰＭ信号を１／３２〜３／３２画素単位でずらすことができるので、ドット位置を１／３２画素単位で微細調整・制御を行うことができる。また、位相がずれた複数の高周波クロックを用いることで画素を１／３２〜３／３２画素の精度で打つタイミングを変えており、１／３２〜３／３２画素に相当する高い周波数のクロックを使っているわけではないので省電力を図ることができる。
【０１３６】
＜付記事項＞
なお、上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。
【図面の簡単な説明】
【０１３７】
【図１】画素クロックおよびパルス変調信号生成装置を含む画像書き込み系の構成を示す図である。
【図２】高周波クロックＶＣＬＫを説明するための図である。
【図３】水平同期信号Ａに位相同期する画素クロックを説明するための図である。
【図４】高周波クロック及び位相データに基づいて生成される画素クロックを説明するための図である。
【図５】変調データを説明するための図である。
【図６】ＰＭ信号を説明するための図である。
【図７】変調データ生成部の構成を示す図である。
【図８】黒画素データ保持部が保持する黒画素データのデータテーブルを示す図である。
【図９】ＰＭ信号生成（１）を説明するための図である。
【図１０】ＰＭ信号生成（２）を説明するための図である。
【図１１】ＰＭ信号生成（３）を説明するための図である。
【図１２】ＰＭ信号生成（４）を説明するための図である。
【図１３】ＰＭ信号生成（５）を説明するための図である。
【図１４】ＰＭ信号生成（６）を説明するための図である。
【図１５】ＰＭ信号生成（７）を説明するための図である。
【図１６】黒画素データ選択部について説明するための図である。
【図１７】黒画素データ選択部が選択する黒画素データを示す図である。
【図１８】光走査装置を示す図である。
【図１９】画像形成装置を示す図である。
【図２０】画素クロック及びパルス変調信号生成装置の具体的な構成を示す図である。
【図２１】従来の画像形成装置の画像書き込み系の構成を示す図である。
【符号の説明】
【０１３８】
１０    画素クロック及び変調信号生成装置
１１    変調データ生成部
１２    高周波クロック生成部
１３    画素クロック生成部
１４    シリアル変調信号生成部
４１    アドレスカウンタ
４２    黒画素データ保持部
４３    選択信号生成部
４４    白黒選択部
４５    位相データ生成部
４６    追加データ選択信号生成部
４７    黒画素データ選択部
【図１】
2007152741.tif 000008
【図２】
2007152741.tif 000009
【図３】
2007152741.tif 000010
【図４】
2007152741.tif 000011
【図５】
2007152741.tif 000012
【図６】
2007152741.tif 000013
【図７】
2007152741.tif 000014
【図８】
2007152741.tif 000015
【図９】
2007152741.tif 000016
【図１０】
2007152741.tif 000017
【図１１】
2007152741.tif 000018
【図１２】
2007152741.tif 000019
【図１３】
2007152741.tif 000020
【図１４】
2007152741.tif 000021
【図１５】
2007152741.tif 000022
【図１６】
2007152741.tif 000023
【図１７】
2007152741.tif 000024
【図１８】
2007152741.tif 000025
【図１９】
2007152741.tif 000026
【図２０】
2007152741.tif 000027
【図２１】
2007152741.tif 000028